(57)【要約】【課題】エアコンなどのような燃焼機器の欠点あるいは石油ファンヒーターなどのような非燃焼機器の欠点を抑制することができる暖房システムを提供する。【解決手段】暖房システム１は、部屋９９を加熱して暖房を行う暖房システムである。暖房システム１は、バーナー２１と、室内熱交換機３１と、マイコン４２とを備えている。バーナー２１は燃焼により部屋９９を加熱する。室内熱交換機３１は燃焼以外の方法により部屋９９を加熱する。マイコン４２は、バーナー２１に関する情報に基づいて室内熱交換機３１の制御を行う、あるいは室内熱交換機３１の情報に基づいてバーナー２１の制御を行う。【選択図】  図１
2004257656.tif 000002
【特許請求の範囲】
【請求項１】
対象空間を加熱して暖房を行う暖房システム（１）であって、
前記対象空間における燃焼により前記対象空間を加熱する燃焼部（２１）と、前記対象空間における燃焼以外の方法により前記対象空間を加熱する非燃焼部（３１）と、
少なくとも前記燃焼部（２１）に関する情報に基づいて前記非燃焼部（３１）の制御を行う、あるいは少なくとも前記非燃焼部（３１）の情報に基づいて前記燃焼部（２１）の制御を行う制御部（４２，１０２，１１２）と、
を備えた暖房システム（１）。
【請求項２】
前記制御部（４２，１０２，１１２）は、前記燃焼部（２１）に関する情報及び前記非燃焼部（３１）に関する情報に基づいて前記燃焼部（２１）及び前記非燃焼部（３１）を連動制御する、
請求項１に記載の暖房システム（１）。
【請求項３】
前記制御部（４２，１０２，１１２）は、前記連動制御において、前記燃焼部（２１）及び前記非燃焼部（３１）のいずれか一方による前記対象空間の加熱と、前記燃焼部（２１）及び前記非燃焼部（３１）の両方による前記対象空間の加熱とを組み合わせる、
請求項２に記載の暖房システム（１）。
【請求項４】
前記制御部（４２，１０２，１１２）は、前記燃焼部（２１）の燃料残量情報に基づいて前記燃焼部（２１）及び前記非燃焼部（３１）を連動制御する、
請求項２又は３に記載の暖房システム（１）。
【請求項５】
前記制御部（４２，１０２，１１２）は、前記対象空間の温度が設定温度に到達した場合に前記燃焼部（２１）による加熱を停止させる、
請求項２から４のいずれかに記載の暖房システム（１）。
【請求項６】
前記対象空間の空気を攪拌する送風部（７０）と、
前記燃焼部（２１）付近における前記対象空間の温度である第１温度を検出する第１温度検出部（５０）と、
前記非燃焼部（３１）付近における前記対象空間の温度である第２温度を検出する第２温度検出部（６０）と、
をさらに備え、
前記制御部（４２，１０２，１１２）は、前記第１温度と前記第２温度とが異なる場合に前記送風部（７０）を稼働させる、
請求項１に記載の暖房システム（１）。
【請求項７】
前記対象空間の空気を換気する換気部（８０）をさらに備えた、
請求項１から６のいずれかに記載の暖房システム（１）。
【請求項８】
対象空間を加熱して暖房を行う燃焼機器（１００）であって、
前記対象空間における燃焼により前記対象空間の加熱を行う燃焼加熱部（２１）と、
少なくとも前記対象空間における燃焼以外の方法により前記対象空間を加熱する非燃焼機器（１０３）に関する情報に基づいて前記燃焼加熱部（２１）を制御する燃焼制御部（１０２）と、
を備えた燃焼機器（１００）。
【請求項９】
対象空間を加熱して暖房を行う非燃焼機器（１１０）であって、
前記対象空間における燃焼以外の方法により前記対象空間の加熱を行う非燃焼加熱部（３１）と、
少なくとも前記対象空間における燃焼により前記対象空間を加熱する燃焼機器（１１３）に関する情報に基づいて前記非燃焼加熱部（３１）を制御する非燃焼制御部（１１２）と、
を備えた非燃焼機器（１１０）。
【請求項１０】
前記対象空間における燃焼により対象空間を加熱して暖房を行う燃焼機器（２０）に関する情報を取得する燃焼機器情報取得部（４６）と、
前記対象空間における燃焼以外の方法により前記対象空間を加熱して暖房を行う非燃焼機器（３０）に関する情報を取得する非燃焼機器情報取得部（４４）と、
少なくとも前記燃焼機器（２０）に関する情報に基づいて前記非燃焼機器（３０）の制御を行う、あるいは少なくとも前記非燃焼機器（３０）の情報に基づいて前記燃焼機器（２０）の制御を行う制御部（４２）と、
を備えた制御機器（４０）。
【請求項１１】
前記燃焼機器（２０）及び前記非燃焼機器（３０）の少なくとも一方の操作入力を受け付ける操作部（４１）をさらに備えた、
請求項１０に記載の制御機器（４０）。
【請求項１２】
前記対象空間における燃焼により対象空間を加熱して暖房する燃焼機器（２０）と前記対象空間における燃焼以外の方法により前記対象空間を加熱して暖房する非燃焼機器（３０）とを制御する制御方法であって、
前記燃焼機器（２０）及び前記非燃焼機器（３０）のうち少なくとも前記燃焼機器（２０）が起動される第１ステップと、
設定温度と前記対象空間の温度とが比較される第２ステップと、
前記温度が設定温度に到達した場合に、前記燃焼機器（２０）が停止される第３ステップと、
前記第３ステップの後に、前記非燃焼機器（３０）により前記対象空間の加熱が開始あるいは継続される第４ステップと、
を備えた制御方法。
【発明の詳細な説明】
【０００１】
【発明の属する技術分野】
本発明は、暖房システムに関する。特に、複数の機器により対象空間を暖房するときの暖房システムに関する。
【０００２】
【従来の技術】
従来、暖房機器と他機器間とを連動制御する技術として、暖房機器と扇風機とを連動制御する技術が提案されている（例えば、特許文献１参照）。この技術は、暖房機器と扇風機との連動制御により暖房空調された室内の温度ムラを無くすとともに経済性と快適性を向上させる技術として知られている。
【０００３】
一方、単体の暖房機器として、燃焼以外の方法により対象空間を加熱する暖房機器であるエアコンなどが、燃焼により対象空間を加熱する暖房機器である石油ファンヒーター・ガスファンヒータ・石油ストーブなどが一般に知られている。
【０００４】
【特許文献１】
特開２０００−１４６２０９号公報（第１−７項、図１）
【０００５】
【発明が解決しようとする課題】
しかし、暖房機器と扇風機とを連動制御するシステムにおいては、対象空間の温度ムラをなくし経済性と快適性を向上させるという効果はあるが、暖房器具によっては速暖性が不足しがちであったり、あるいは不完全燃焼により不快な副産物が発生しやすい。例えば、暖房機器としてエアコンを単体で用いた場合、暖房運転が起動されてから対象空間が加熱されるまでに時間がかかりやすく速暖性が不足しやすい。また、暖房機器として石油ファンヒーターを単体で用いた場合、速暖性の向上を図ることができるが、不完全燃焼により不快な副産物が発生しやすい。すなわち、石油ファンヒーターは、暖房運転の起動時は完全燃焼していることが多く、不快な副産物はあまり問題にならない。ところが、ユーザーが設定した目標温度に近づいてくると、燃焼量を絞るため不完全燃焼が起こりやすく不快な副産物が発生しやすい。
【０００６】
そこで、速暖性を向上させるためにエアコンと石油ファンヒーターを同時にユーザーに使用してもらうことが考えられるが、それだけでは石油ファンヒーターの不完全燃焼により不快な副産物が発生しやすいという問題が残る可能性がある。
本発明の課題は、エアコンなどのような燃焼機器の欠点あるいは石油ファンヒーターなどのような非燃焼機器の欠点を抑制することができる暖房システム、燃焼機器、非燃焼機器、制御機器及び制御方法を提供することにある。
【０００７】
【課題を解決するための手段】
請求項１に係る暖房システムは、対象空間を加熱して暖房を行う暖房システムであって、燃焼部と、非燃焼部と、制御部とを備えている。燃焼部は燃焼により対象空間を加熱する。非燃焼部は燃焼以外の方法により対象空間を加熱する。制御部は、少なくとも燃焼部に関する情報に基づいて非燃焼部の制御を行う、あるいは少なくとも非燃焼部の情報に基づいて燃焼部の制御を行う。
【０００８】
この暖房システムでは、制御部は、少なくとも非燃焼部の様子を見ながら燃焼部を制御する、あるいは反対に少なくとも燃焼部の様子を見ながら非燃焼部を制御する。
このため、燃焼部の欠点あるいは非燃焼部の欠点を抑制することができる。例えば、暖房システムの起動時に制御部が燃焼部と非燃焼部とを同時に稼働させれば、非燃焼部の欠点を補うことができ、暖房能力の向上すなわち速暖性の向上を図ることができる。また、対象空間の温度が設定温度に到達した場合に制御部が燃焼部を停止させて非燃焼部のみを稼働させれば、燃焼部の欠点を補うことができ、不快な副産物が発生することを抑制することができる。
【０００９】
請求項２に係る暖房システムは、請求項１に記載の暖房システムであって、制御部は、燃焼部に関する情報及び非燃焼部に関する情報に基づいて燃焼部及び非燃焼部を連動制御する。
この暖房システムでは、制御部は、燃焼部に関する情報及び非燃焼部に関する情報の両方を用いて燃焼部と非燃焼部とをそれぞれ制御する。
【００１０】
このため、いずれか一方の情報のみを用いて燃焼部と非燃焼部とをそれぞれ制御する場合に比べて、燃焼部の欠点あるいは非燃焼部の欠点をさらに抑制することができる。
請求項３に係る暖房システムは、請求項２に記載の暖房システムであって、制御部は、連動制御において、燃焼部又は非燃焼部のいずれか一方による対象空間の加熱と、燃焼部及び非燃焼部の両方による対象空間の加熱とを組み合わせる。
【００１１】
この暖房システムでは、制御部は、起動時には燃焼部及び非燃焼部の両方を稼働させることができる。また、制御部は、燃焼部に関する情報及び非燃焼部に関する情報の少なくとも一方の情報に基づいていずれか一方のみを稼働させることもできる。
したがって、暖房システムの起動時に燃焼部と非燃焼部とを制御部が同時に稼働させれば、速暖性の向上を図ることができる。また、燃焼部で不完全燃焼が起こる前に制御部が燃焼部を停止させて非燃焼部による対象空間の加熱を行わせれば、不快な副産物が発生することを抑制することができる。
【００１２】
請求項４に係る暖房システムは、請求項２又は３に記載の暖房システムであって、制御部は、燃焼部の燃料残量情報に基づいて燃焼部及び非燃焼部を連動制御する。
この暖房システムでは、制御部は、燃焼部の燃料残量情報に基づいて燃焼部及び非燃焼部を連動制御する。例えば、制御部は、燃焼部の燃料が無くなった場合は、燃焼部の加熱を停止させて非燃焼部のみを稼働させることができる。したがって、燃焼部の燃料が無くなった場合でも、制御部が非燃焼部を継続して稼働させることができるため、対象空間が継続して加熱される。
【００１３】
請求項５に係る暖房システムは、請求項２から４のいずれかに記載の暖房システムであって、制御部は、設定温度と対象空間の温度とを比較し、対象空間の温度が設定温度に到達した場合に燃焼部による加熱を停止させる。
この暖房システムでは、制御部は、設定温度と対象空間の温度とを比較して、対象空間の温度が設定温度に到達した場合に燃焼部による加熱を停止させ、非燃焼部のみ稼働を開始又は継続させる。
【００１４】
したがって、対象空間の温度が設定温度に到達した場合に、制御部が燃焼部を停止させて非燃焼部による対象空間の加熱を開始又は継続させるため、不快な副産物が発生することを抑制することができる。
なお、上記の設定温度とはユーザー側が設定する目標温度とは異なり、システム側で設定される温度である。
【００１５】
請求項６に係る暖房システムは、請求項１に記載の暖房システムであって、  送風部と、第１温度検出部と、第２温度検出部とをさらに備える。第１温度検出部は、第１温度を検出する。第１温度は、燃焼部付近における対象空間の温度である。第２温度検出部は、第２温度を検出する。第２温度は、非燃焼部付近における対象空間の温度である。制御部は、第１温度と第２温度とが異なる場合に送風部を稼働させる。送風部は対象空間の空気を攪拌する。
【００１６】
この暖房システムでは、第１温度検出部が第１温度を検出する。第２温度検出部が第２温度を検出する。制御部は、第１温度と第２温度とを比較し、第１温度と第２温度とが異なる場合に送風部を稼働させる。
このため、制御部が第１温度と第２温度とを比較することにより対象空間の温度ムラを把握することができる。また、第１温度と第２温度とが異なる場合すなわち対象空間の温度ムラが発生した場合に、制御部が送風部を稼働させることにより対象空間の空気が攪拌されるため、対象空間の温度ムラを迅速に低減することができる。
【００１７】
請求項７に係る暖房システムは、請求項１から６のいずれかに記載の暖房システムであって、換気部をさらに備えている。換気部は対象空間の空気を換気する。
この暖房システムでは、燃焼部が不完全燃焼を起こした場合、制御部が換気部を稼働させ、対象空間の空気が換気される。
【００１８】
このため、燃焼部の不完全燃焼により不快な副産物が発生した場合でも、不快な副産物を低減することができる。
請求項８に係る燃焼機器は、対象空間を加熱して暖房を行う燃焼機器であって、燃焼加熱部と、燃焼制御部とを備えている。燃焼加熱部は燃焼により対象空間の加熱を行う。燃焼制御部は、少なくとも非燃焼機器に関する情報に基づいて燃焼加熱部を制御する。非燃焼機器は燃焼以外の方法により対象空間を加熱する。
【００１９】
この燃焼機器では、少なくとも非燃焼機器の様子を見ながら燃焼制御部が燃焼加熱部を制御する。
このため、燃焼機器の欠点あるいは非燃焼機器の欠点を抑制することができる。例えば、燃焼加熱部の起動時に燃焼制御部が燃焼加熱部と非燃焼機器とを同時に稼働させれば、非燃焼機器の欠点を補うことができ、暖房能力の向上すなわち速暖性の向上を図ることができる。また、対象空間の温度が設定温度に到達した場合に燃焼制御部が燃焼加熱部を停止させて非燃焼機器のみを稼働を継続させれば、燃焼機器の欠点を補うことができ、不快な副産物が発生することを抑制することができる。
【００２０】
請求項９に係る非燃焼機器は、対象空間を加熱して暖房を行う非燃焼機器であって、非燃焼加熱部と、非燃焼制御部とを備えている。非燃焼加熱部は燃焼以外の方法により対象空間の加熱を行う。非燃焼制御部は、少なくとも燃焼機器に関する情報に基づいて非燃焼加熱部を制御する。燃焼機器は燃焼により対象空間を加熱する。
【００２１】
この非燃焼機器では、少なくとも燃焼機器の様子を見ながら非燃焼制御部が非燃焼加熱部を制御する。
このため、燃焼機器の欠点あるいは非燃焼機器の欠点を抑制することができる。例えば、燃焼機器の起動時に非燃焼制御部が燃焼機器と非燃焼加熱部とを同時に稼働させれば、非燃焼機器の欠点を補うことができ、暖房能力の向上すなわち速暖性の向上を図ることができる。また、対象空間の温度が設定温度に到達した場合に燃焼機器が停止されれば非燃焼制御部が非燃焼加熱部のみを稼働を開始又は継続させることにより、燃焼機器の欠点を補うことができ、不快な副産物が発生することを抑制することができる。
【００２２】
請求項１０に係る制御機器は、燃焼機器情報取得部と、非燃焼機器情報取得部と、制御部とを備えている。燃焼機器情報取得部は、燃焼機器に関する情報を取得する。燃焼機器は、燃焼により対象空間を加熱して暖房を行う。非燃焼機器情報取得部は、非燃焼機器に関する情報を取得する。非燃焼機器は、燃焼以外の方法により対象空間を加熱して暖房を行う。制御部は、少なくとも燃焼機器に関する情報に基づいて非燃焼機器の制御を行う、あるいは少なくとも非燃焼機器の情報に基づいて燃焼機器の制御を行う。
【００２３】
この制御機器では、少なくとも非燃焼機器の様子を見ながら燃焼機器を制御する、あるいは反対に少なくとも燃焼機器の様子を見ながら非燃焼機器を制御する。
ここでは、燃焼機器の欠点あるいは非燃焼機器の欠点を抑制することができる。例えば、燃焼機器又は非燃焼機器の起動時に制御部が燃焼機器と非燃焼機器とを同時に稼働させれば、非燃焼機器の欠点を補うことができ、暖房能力の向上すなわち速暖性の向上を図ることができる。また、対象空間の温度が設定温度に到達した場合に制御部が燃焼機器を停止させて非燃焼機器のみを稼働させることができるため、燃焼機器の欠点を補うことができ、不快な副産物が発生することを抑制することができる。
【００２４】
なお、燃焼機器情報取得部や非燃焼機器情報取得部における情報の取得方法は、あらかじめ設定しておく方法でも燃焼機器や非燃焼機器と互いに通信する方法でもよい。
請求項１１に係る制御機器は、請求項１０に記載の制御機器であって、操作部をさらに備えている。操作部は、燃焼機器及び非燃焼機器の少なくとも一方の操作入力を受け付ける。
【００２５】
ここでは、制御機器が操作部を備えているため、燃焼機器と非燃焼機器とをユーザーが個別に操作する場合に比べて、ユーザー側における操作性を向上させることができる。
なお、操作部を備えた制御機器は、リモートコントローラであってもよいし、燃焼機器本体に取り付けられているものでもよいし、非燃焼機器本体に取り付けられていてもよいし、ホームコントロールシステムなどの遠隔操作システムに組み込まれたものであってもよい。
【００２６】
請求項１２に係る制御方法は、燃焼機器と非燃焼機器とを制御する制御機器の制御方法であって、第１ステップと、第２ステップと、第３ステップと、第４ステップとを備えている。燃焼機器は燃焼により対象空間を加熱して暖房する。非燃焼機器は燃焼以外の方法により対象空間を加熱して暖房する。第１ステップでは、燃焼機器及び非燃焼機器のうち少なくとも燃焼機器が起動される。第２ステップでは、設定温度と対象空間の温度とが比較される。第３ステップでは、対象空間の温度が設定温度に到達した場合に燃焼機器が停止される。第４ステップでは、非燃焼機器により対象空間の加熱が開始あるいは継続される。
【００２７】
この制御方法では、第２ステップで制御機器の制御部が設定温度と対象空間の温度とを比較して、第３ステップで対象空間の温度が設定温度に到達した場合に制御機器の制御部が燃焼機器による加熱を停止させ、第４ステップで制御機器の制御部が非燃焼機器のみ稼働を開始又は継続させる。
したがって、対象空間の温度が設定温度に到達した場合に、制御部が燃焼機器を停止させて非燃焼機器による対象空間の加熱を開始又は継続させるため、不快な副産物が発生することを抑制することができる。
【００２８】
【発明の実施の形態】
［第１実施形態］
本発明の第１実施形態に係る暖房システム１の概念図を図１に示す。また、その構成図を図２に示す。ここに示す暖房システム１は部屋９９の中を加熱して暖房を行うためのシステムである。
【００２９】
＜暖房システム１の構成＞
この暖房システム１は、主として石油ファンヒーター２０とエアコン３０とリモコン４０と換気扇８０とから構成されている。
リモコン４０のマイコン４２は、石油ファンヒーター２０のバーナー２１及びエアコン３０の室内熱交換器３１を連動制御する。リモコン４０の第３送受信機４６と石油ファンヒーター２０の送受信機２３とは、赤外線による無線通信回線で通信する。リモコン４０の第１送受信機４４とエアコン３０の送受信機３６とは、赤外線による無線通信回線で通信する。
【００３０】
＜石油ファンヒーター２０の構成＞
図１に示すように、石油ファンヒーター２０は部屋９９の床面近くに設置される。
図２に示すように、石油ファンヒーター２０は、主としてバーナー２１とマイコン２２と送受信機２３と温度センサー５０とを備えている。温度センサー５０は、石油ファンヒーター２０の吹き込み口付近に内蔵されており、石油ファンヒーター２０の吹き込み口付近の温度であるヒーター吹き込み温度を検出する。
【００３１】
そして、石油ファンヒーター２０のマイコン２２は、リモコン４０のマイコン４２と情報の受け渡しが可能である。
これにより、リモコン４０のマイコン４２からの指令によりバーナー２１が燃焼を行い、部屋９９の中が加熱され暖房が行われる。また、リモコン４０のマイコン４２からの指令によりバーナー２１が燃焼を停止し、部屋９９の中の加熱が停止される。ここで、石油ファンヒーター２０による暖房の原理を説明する。燃料タンクに入っている灯油が送油ポンプにより吸い上げられ、気化器で気化される。その気化された燃料は、ノズルから噴射され、バーナー２１で燃焼する。燃焼により加熱された空気は、対流ファンからの対流用空気と混合し、温風となって石油ファンヒーター２０から吹き出す。
【００３２】
また、石油ファンヒーター２０のマイコン２２は、石油ファンヒーター２０のＯＮ／ＯＦＦ状態・運転種別・風量・目標温度などの運転情報や石油ファンヒーター２０の燃料残量情報や温度センサー５０の温度情報などを、リモコン４０のマイコン４２に提供する。これらの情報は、リアルタイムの情報であり、リモコン４０のマイコン４２と石油ファンヒーター２０のマイコン２２とが互いに通信することによりリモコン４０のマイコン４２に与えられる。
【００３３】
＜エアコン３０の構成＞
図１に示すように、エアコン３０は部屋９９の天井付近に設置される。
図２に示すように、エアコン３０は、主として室内熱交換器３１とマイコン３５と送受信機３６と温度センサー６０とクロスフローファン７０とフラップ３４とを備えている。温度センサー６０は、エアコン３０の吹き込み口付近に内蔵されており、エアコン３０の吹き込み口付近の温度であるエアコン吹き込み温度を検出する。フラップ３４は、エアコンから吹き出す温風の風向を制御する。
【００３４】
そして、エアコン３０のマイコン３５は、リモコン４０のマイコン４２と情報の受け渡しが可能である。
これにより、リモコン４０のマイコン４２からの指令により室内熱交換器３１が稼働し、部屋９９の中が加熱され暖房が行われる。また、リモコン４０のマイコン４２からの指令により室内熱交換器３１が稼働を停止し、部屋９９の中の加熱が停止される。ここで、エアコン３０による暖房の原理を説明する。エアコン３０は、室内の壁面に取り付けられる室内機３０ａと、室外に設置される室外機３０ｂとから構成される。室内機３０ａには室内熱交換器３１が収納され、室外機３０ｂには室外熱交換器が収納されている。そして、各熱交換器およびこれらの熱交換器を接続する冷媒配管が、冷媒回路を構成している。また、室内機３０ａには、クロスフローファン７０が設けられている。クロスフローファン７０は、部屋９９の中の空気を室内機３０ａの中に吸い込ませるとともに、室内熱交換器３１との間で熱交換を行った後の空気を部屋９９の中へ噴出させる。
【００３５】
また、エアコン３０のマイコン３５は、エアコン３０のＯＮ／ＯＦＦ状態・運転種別・風量・風向・目標温度などの運転状態の情報や温度センサー６０の温度情報などを、リモコン４０のマイコン４２に提供する。これらの情報は、リアルタイムの情報であり、リモコン４０のマイコン４２とエアコン３０のマイコン３５とが互いに通信することによりリモコン４０のマイコン４２に与えられる。
【００３６】
＜リモコン４０の構成＞
図２に示すように、リモコン４０は、主として操作パネル４１とマイコン４２と第１送受信機４４と第２送受信機４５と第３送受信機４６とを備える。
リモコン４０のマイコン４２は、石油ファンヒーター２０のマイコン２２及びエアコン３０のマイコン３５とそれぞれ情報の受け渡しが可能である。
【００３７】
そして、リモコン４０のマイコン４２からの指令によりバーナー２１及び室内熱交換器３１が稼働し、部屋９９の中が加熱され暖房が行われる。また、リモコン４０のマイコン４２からの指令によりバーナー２１及び室内熱交換器３１が稼働を停止し、部屋９９の中の加熱が停止される。
これらにより、リモコン４０のマイコン４２は、石油ファンヒーター２０に関する情報に基づいてエアコン３０の室内熱交換器３１の制御を行ったり、エアコン３０に関する情報に基づいて石油ファンヒーター２０のバーナー２１の制御を行ったり、石油ファンヒーター２０及びエアコン３０両方に関する情報に基づいて石油ファンヒーター２０のバーナー２１及びエアコン３０の室内熱交換器３１をそれぞれ連動制御したりする。ここで、石油ファンヒーター２０に関する情報は、石油ファンヒーター２０のＯＮ／ＯＦＦ状態・運転種別・風量・目標温度などの運転情報や石油ファンヒーター２０の燃料残量情報や温度センサー５０の温度情報などである。エアコン３０に関する情報は、エアコン３０のＯＮ／ＯＦＦ状態・運転種別・風量・風向・目標温度などの運転状態の情報や温度センサー６０の温度情報などである。
【００３８】
＜換気扇８０の構成＞
図２に示すように、換気扇８０は、主としてファン８１とマイコン８２と送受信機８３とから構成されている。
換気扇８０のマイコン８２は、リモコン４０のマイコン４２と情報の受け渡しが可能である。
【００３９】
そして、リモコン４０のマイコン４２からの指令によりファン８１が稼働し、部屋９９の中の換気が行われる。
＜暖房システム１を制御する処理の流れ＞
図１及び図２の暖房システム１において不快な臭いを防止する処理の流れを、図３及び図４に示すフローチャートを用いて説明する。
【００４０】
ステップＳ１では、ユーザーによりリモコン４０の操作パネル４１に目標温度が入力され、暖房システム１の起動ボタンが押される。ステップＳ２では、リモコン４０のマイコン４２により石油ファンヒーター２０の燃料残量情報が取得され、石油ファンヒーター２０の燃料があるか判断される。燃料がある場合はステップＳ３へ進み、燃料がない場合はステップＳ４へ進む。ステップＳ３では、石油ファンヒーター２０のバーナー２１及びエアコン３０の室内熱交換器３１が起動される。ステップＳ４では、エアコン３０の室内熱交換器３１のみが起動される。ステップＳ５では、リモコン４０のマイコン４２により設定温度が算出される。設定温度は、目標温度から０．１℃〜１０℃を引いた値を用いる。ステップＳ６では、ヒーター吹き込み温度及びエアコン吹き込み温度が検出され、リモコン４０のマイコン４２へ送信される。ここで、ヒーター吹き込み温度は温度センサー５０で検出され、エアコン吹き込み温度は温度センサー６０で検出される。ステップＳ７では、リモコン４０のマイコン４２により部屋９９の温度が算出される。ここで、部屋９９の温度としては、ヒーター吹き込み温度とエアコン吹き込み温度との平均値を用いる。ステップＳ８では、ヒーター吹き込み温度とエアコン吹き込み温度との温度差がリモコン４０のマイコン４２により算出される。これにより、部屋９９の温度ムラが把握される。ステップＳ９では、リモコン４０のマイコン４２により石油ファンヒーター２０の燃料残量情報が取得され、石油ファンヒーター２０の燃料があるか判断される。燃料がある場合はステップＳ１０へ進み、燃料がない場合はステップＳ１２へ進む。ステップＳ１０では、設定温度と部屋９９の温度とが比較され、設定温度の方が高い場合はステップＳ１３へ進み、部屋９９の温度の方が高いか又は両者が等しい場合はステップＳ１１へ進む。ステップＳ１１では、換気扇８０のファン８１が稼働される。これにより、石油ファンヒーター２０のバーナー２１の不完全燃焼により発生する不快なにおいが低減される。ステップＳ１２では、石油ファンヒーター２０のバーナー２１が停止される。これにより、石油ファンヒーター２０のバーナー２１の不完全燃焼により不快な臭いが発生することが抑制される。ステップＳ１３では、上記の温度差としきい値とが比較され、温度差がしきい値未満の場合はステップＳ１４へ進み、温度差がしきい値以上の場合はステップＳ１５へ進む。しきい値は、０．１℃〜１０℃とする。ステップＳ１４では、フラップ３４の角度及びクロスフローファン７０の回転数が元に戻される。ステップＳ１４の処理が終わった後はステップＳ６の直前へと戻る。ステップＳ１５では、適正なフラップ３４の角度が算出される。フラップ３４の角度として、温度差が０．１℃〜５℃のときは鉛直方向に対して４５度、温度差が５℃〜１０℃のときは鉛直方向に対して９０度とする。ステップＳ１６では、プラップ３４の角度が調整される。ステップＳ１７では、クロスフローファン７０の回転数が増加される。クロスフローファン７０の回転数は最大回転数とする。これにより、部屋９９の中の空気が攪拌されて、部屋９９の中の温度ムラが迅速に低減される。ステップＳ１８では、目標温度が部屋９９の温度と比較される。目標温度の方が高い場合はステップＳ６の直前まで戻り、部屋９９の温度の方が高いか又は両者が等しい場合は処理を終了する。
【００４１】
＜暖房システム１に関する特徴＞
（１）
ここでは、石油ファンヒーター２０の欠点あるいはエアコン３０の欠点が抑制される。すなわち、石油ファンヒーター２０のバーナー２１とエアコン３０の室内熱交換器３１とを暖房システム１の起動時にリモコン４０のマイコン４２が同時に稼働させるので、エアコン３０の欠点が補われ、暖房能力の向上すなわち速暖性の向上が達成される。また、部屋９９の温度が設定温度に到達した場合にリモコン４０のマイコン４２が石油ファンヒーター２０のバーナー２１を停止させてエアコン３０の室内熱交換器３１の稼働を継続させるため、石油ファンヒーター２０の欠点が補われ、石油ファンヒーター２０のバーナー２１の不完全燃焼による不快な臭いの発生が抑制される。
【００４２】
（２）
ここでは、石油ファンヒーター２０のバーナー２１の不完全燃焼により発生した不快な臭いが低減される。すなわち、部屋９９の温度が目標温度と等しいか又は目標温度よりも高くなったら、リモコン４０のマイコン４２からの指令により換気扇８０のファン８１が稼働される。したがって、石油ファンヒーター２０のバーナー２１の不完全燃焼により不快な臭いが発生した場合でも、不快な臭いが低減される。
【００４３】
（３）
ここでは、部屋９９の温度ムラが迅速に低減される。すなわち、ヒーター吹き込み温度とエアコン吹き込み温度との温度差がリモコン４０のマイコン４２によりが算出されることにより部屋９９の温度ムラが把握され、フラップ３４の角度が制御されるとともにクロスフローファン７０の回転数が上げられることにより部屋９９の中の空気が攪拌されて部屋９９の中の温度ムラが迅速に低減される。
【００４４】
（４）
ここでは、ユーザー側における操作性が向上される。すなわち、リモコン４０が操作パネル４１を備えているため、石油ファンヒーター２０とエアコン３０とをユーザーが個別に操作する場合に比べて、ユーザー側における操作性が向上される。
【００４５】
（５）
ここでは、石油ファンヒーター２０の欠点が抑制される。すわなち、リモコン４０のマイコン４２は、石油ファンヒーター２０の燃料が無くなった場合は、石油ファンヒーター２０のバーナー２１の加熱を停止させてエアコン３０の室内熱交換器３１のみを稼働させる。したがって、石油ファンヒーター２０の燃料が無くなった場合でも、リモコン４０のマイコン４２がエアコン３０の室内熱交換器３１を継続して稼働させるため、部屋９９の中が継続して加熱される。
【００４６】
＜第１実施形態の変形例＞
（Ａ）リモコン４０の第３送受信機４６と石油ファンヒーター２０の送受信機２３とは、あるいはリモコン４０の第１送受信機４４とエアコン３０の送受信機３６とは、赤外線以外の電磁波を用いた無線通信回線で通信してもよい。特にサブミリ波・ミリ波・マイクロ波・ＦＭ波・ＡＭ波・短波・中波・長波などの赤外線よりも低い周波数の電磁波を用いた場合は稼働距離を長くすることができる。
【００４７】
また、リモコン４０の第３送受信機４６と石油ファンヒーター２０の送受信機２３とは、あるいはリモコン４０の第１送受信機４４とエアコン３０の送受信機３６とは、ＬＡＮケーブルなどの有線通信回線で接続されていてもよい。この場合は、無線通信回線の場合よりも高速な通信が可能になる。
（Ｂ）石油ファンヒーター２０のマイコン２２がリモコン４０のマイコン４２に提供する情報や、エアコン３０のマイコン３５がリモコン４０のマイコン４２に提供する情報は、スタティックな情報でもよい。その情報は、リモコン４０のマイコン４２にデフォルトの値をあらかじめ与えておいてもいいし、必要に応じて操作パネル４１から入力してもよい。この場合は、リモコン４０における第１送受信機４４と送受信機３６とが又は第３送受信機４６と送受信機２３とが不要となる。したがって、石油ファンヒーター２０とリモコン４０とを又はエアコン３０とリモコン４０とを低コストで組み立てることができる。
（Ｃ）図３及び図４に示す、不快な臭いを防止する処理の流れにおいて、ステップＳ１でユーザーによりリモコン４０の操作パネル４１に目標温度が入力されずに、デフォルトの目標温度があらかじめ入力してあってもよい。この場合、ステップＳ１では、暖房システム１の起動ボタンが押されるだけとなる。したがって、起動時の操作が簡易化される。
（Ｄ）図３及び図４に示す、不快な臭いを防止する処理の流れにおいて、ステップＳ３で石油ファンヒーター２０のバーナー２１のみが起動されるとしてもよい。この場合、ステップＳ１２で石油ファンヒーター２０のバーナー２１が停止されると同時に、エアコン３０の室内熱交換器３１が起動されることになる。したがって、両方を同時に稼働する場合よりもランニングコストを低減することができる。
（Ｅ）図３及び図４に示す、不快な臭いを防止する処理の流れにおいて、ステップＳ７で算出される部屋９９の温度は、ヒーター吹き込み温度を用いてもよいし、エアコン吹き込み温度を用いてもよいし、ヒーター吹き込み温度とエアコン吹き込み温度との加重平均値を用いてもよい。
（Ｆ）図３及び図４に示す、不快な臭いを防止する処理の流れにおいて、ステップＳ１１は省略してもよい。また、ステップＳ１５、ステップＳ１６は省略してもよい。あるいは、ステップＳ１５のみを省略し、ステップＳ１６でフラップがスイング動作するようにしてもよい。これにより、部屋９９の空気が対流しにくい場合でも部屋９９の温度ムラを低減することができる。
（Ｇ）リモコン４０に温度センサー４３が取り付けられているものでもよい。温度センサー４３は、リモコン４０付近の温度であるリモコン温度を検出する。図３及び図４に示す、不快な臭いを防止する処理の流れにおいて、ステップＳ７で部屋９９の温度としてヒーター吹き込み温度を用いてもよいし、エアコン吹き込み温度を用いてもよいし、リモコン温度を用いてもよいし、ヒーター吹き込み温度とエアコン吹き込み温度とリモコン温度との平均値を用いてもよいし、ヒーター吹き込み温度とエアコン吹き込み温度とリモコン温度との加重平均値を用いてもよい。この場合は温度情報をより詳細に取得できるため、部屋９９の温度を正確に算出することができる。
（Ｈ）換気扇８０は、エアコン３０に内蔵された換気扇８０ａであってもよい。リモコン４０は、石油ファンヒーター２０本体に取り付けられていてもよく、エアコン３０本体に取り付けられていてもよく、ホームコントロールシステムなどの遠隔操作システムに組み込まれたものであってもよい。石油ファンヒーター２０とエアコン３０と換気扇８０とは一体化されていてもよい。さらに、リモコン４０とも一体化されていてもよい。
【００４８】
［第２実施形態］
本発明の第２実施形態に係る石油ファンヒーター１００を図５に示す。ここに示す石油ファンヒーター１００は、部屋９９の中を加熱して暖房を行うための機器である。
この石油ファンヒーター１００は、主としてバーナー２１とマイコン１０２と送受信機２３と温度センサー５０とを備えている。マイコン１０２は、エアコン１０３のマイコン１０１と情報の受け渡しが可能である。
【００４９】
この石油ファンヒーター１００は、基本的な構造は第１実施形態と同様であるが、リモコン４０のマイコン４２の代わりにマイコン１０２がバーナー２１や室内熱交換器３１を制御する点で構成が異なる。
また、エアコン１０３に関する情報に基づいてバーナー２１や室内熱交換器３１を制御する点は第１実施例と同様である。
【００５０】
このような石油ファンヒーター１００によっても、石油ファンヒーター１００の欠点あるいはエアコン１０３の欠点が抑制される。すわなち、石油ファンヒーター１００のバーナー２１とエアコン１０３の室内熱交換器３１とを石油ファンヒーター１００のバーナー２１の起動時にマイコン１０２が同時に稼働させるため、エアコン１０３の欠点が補われ、暖房能力の向上すなわち速暖性の向上が達成される。また、部屋９９の中の温度が設定温度に到達した場合にマイコン１０２が石油ファンヒーター１００のバーナー２１を停止させてエアコン１０３の室内熱交換器３１のみを稼働させるため、石油ファンヒーター１００の欠点が補われ、石油ファンヒーター１００のバーナー２１の不完全燃焼により不快な臭いが発生することが抑制される。
【００５１】
［第３実施形態］
本発明の第３実施形態に係るエアコン１１０を図６に示す。ここに示すエアコン１１０は、部屋９９の中を加熱して暖房を行うための機器である。
このエアコン１１０は、主として室内熱交換器３１とマイコン１１２と送受信機３６と温度センサー６０とクロスフローファン７０とフラップ３４とを備えている。マイコン１１２は、石油ファンヒーター１１３のマイコン１１４と情報の受け渡しが可能である。
【００５２】
このエアコン１１０は、基本的な構造は第１実施形態と同様であるが、リモコン４０のマイコン４２の代わりにマイコン１１２がバーナー２１や室内熱交換器３１を制御する点で構成が異なる。
また、石油ファンヒーター１１３に関する情報に基づいてバーナー２１や室内熱交換器３１を制御する点は第１実施例と同様である。
【００５３】
このようなエアコン１１０によっても、石油ファンヒーター１１３の欠点あるいはエアコン１１０の欠点が抑制される。すわなち、石油ファンヒーター１１３のバーナー２１とエアコン１１０の室内熱交換器３１とをエアコン１１０の室内熱交換器３１の起動時にマイコン１１２が同時に稼働させるため、エアコン１１０の欠点が補われ、暖房能力の向上すなわち速暖性の向上が達成される。また、部屋９９の中の温度が設定温度に到達した場合にマイコン１１２が石油ファンヒーター１１３のバーナー２１を停止させてエアコン１１０の室内熱交換器３１のみを稼働させるため、石油ファンヒーター１１３の欠点が補われ、石油ファンヒーター１１３のバーナー２１の不完全燃焼により不快な臭いが発生することが抑制される。
【００５４】
【発明の効果】
請求項１に係る暖房システムでは、非燃焼部の様子を見ながら燃焼部を制御する、あるいは反対に燃焼部の様子を見ながら非燃焼部を制御するため、燃焼部の欠点あるいは非燃焼部の欠点を抑制することができる。
請求項２に係る暖房システムでは、燃焼部に関する情報及び非燃焼部に関する情報の両方を用いて燃焼部と非燃焼部とをそれぞれ制御するため、いずれか一方の情報のみを用いて燃焼部と非燃焼部とをそれぞれ制御する場合に比べて、燃焼部の欠点あるいは非燃焼部の欠点をさらに抑制することができる。
【００５５】
請求項３に係る暖房システムでは、起動時には燃焼部及び非燃焼部の両方を稼働させることができ、また燃焼部に関する情報及び非燃焼部に関する情報の少なくとも一方の情報に基づいていずれか一方のみを稼働させることもできるため、暖房システムの起動時に燃焼部と非燃焼部とを同時に制御部が稼働させれば、速暖性の向上を図ることができる。また、燃焼部で不完全燃焼が起こるまえに制御部が燃焼部を停止させて非燃焼部による対象空間の加熱を行わせれば、不快な副産物が発生することを抑制することができる。
【００５６】
請求項４に係る暖房システムでは、燃焼部の燃料残量情報に基づいて燃焼部及び非燃焼部を連動制御するため、燃焼部の燃料が無くなった場合でも、制御部が非燃焼部を継続して稼働させることができるので、対象空間が継続して加熱される。
請求項５に係る暖房システムでは、対象空間の温度が設定温度に到達した場合に、制御部が燃焼部を停止させて非燃焼部による対象空間の加熱を開始又は継続させるので、不快な副産物が発生することを抑制することができる。
【００５７】
請求項６に係る暖房システムでは、制御部が第１温度と第２温度とを比較することにより対象空間の温度ムラを把握することができる。また、第１温度と第２温度とが異なる場合すなわち対象空間の温度ムラが発生した場合に、制御部が送風部を稼働させることにより対象空間の空気を攪拌するため、対象空間の温度ムラを迅速に低減することができる。
【００５８】
請求項７に係る暖房システムでは、燃焼部が不完全燃焼を起こした場合、制御部が換気部を稼働させ、対象空間の空気が換気されるため、燃焼部の不完全燃焼により不快な副産物が発生した場合でも、不快な副産物を低減することができる。
請求項８に係る燃焼機器では、非燃焼機器の様子を見ながら燃焼制御部が燃焼加熱部や非燃焼機器を制御するため、燃焼機器の欠点あるいは非燃焼機器の欠点を抑制することができる。
【００５９】
請求項９に係る非燃焼機器では、燃焼機器の様子を見ながら非燃焼制御部が非燃焼加熱部や燃焼機器を制御するため、燃焼機器の欠点あるいは非燃焼機器の欠点を抑制することができる。
請求項１０に係る制御機器では、非燃焼機器の様子を見ながら燃焼機器を制御する、あるいは反対に燃焼機器の様子を見ながら非燃焼機器を制御するため、燃焼機器の欠点あるいは非燃焼機器の欠点を抑制することができる。
【００６０】
請求項１１に係る制御機器では、制御機器が操作部を備えているため、燃焼機器と非燃焼機器とをユーザーが個別に操作する場合に比べて、ユーザー側における操作性を向上させることができる。
請求項１２に係る制御方法では、対象空間の温度が設定温度に到達した場合に、制御部が燃焼部を停止させて非燃焼部による対象空間の加熱を開始又は継続させるため、不快な副産物が発生することを抑制することができる。
【図面の簡単な説明】
【図１】本発明の第１実施形態による暖房システムの概念図。
【図２】本発明の第１実施形態による暖房システムの構成図。
【図３】本発明の第１実施形態による暖房システム１を制御する処理の流れを示すフローチャート。
【図４】本発明の第１実施形態による暖房システム１を制御する処理の流れを示すフローチャート。
【図５】本発明の第２実施形態によるエアコン１０３及び石油ファンヒーター１００の構成図。
【図６】本発明の第３実施形態によるエアコン１１０及び石油ファンヒーター１１３の構成図。
【符号の説明】
２０，１００，１１３    石油ファンヒーター
３０，１０３，１１０    エアコン
４０    リモコン
８０，８０ａ    換気扇
２２，３５，４２，８２，１０１，１０２，１１２，１１４    マイコン
４３，５０，６０    温度センサー
７０    クロスフローファン
２１    バーナー
３１    室内熱交換器
【図１】
2004257656.tif 000003
【図２】
2004257656.tif 000004
【図３】
2004257656.tif 000005
【図４】
2004257656.tif 000006
【図５】
2004257656.tif 000007
【図６】
2004257656.tif 000008